(57)【特許請求の範囲】
【請求項１】
流入口、流出口、排水口を有し、流入口、流出口間に通止水シリンダを、流出口、排水口間に排水シリンダを、流入口を介して通止水シリンダと反対側に止水シリンダを同一軸心上にもうける弁箱と、上記止水シリンダを摺動する環状止水パッキン、排水シリンダを摺動する環状排水パッキン、および排水時には通止水シリンダに、通水時には他のいずれか一つのシリンダに密着する環状通止水パッキンを外周に装着するピストンとを備えた水抜栓の弁構造。
【発明の詳細な説明】
【０００１】
【産業上の利用分野】
本発明は、弁箱内のシリンダをＯリング等の環状パッキンが摺動、離脱して通止水および排水を行う、いわゆるピストン、シリンダタイプの水抜栓の改良に関する。
【０００２】
【従来の技術】
この種の水抜栓はいずれも、流入口の上下にもうけた２個のシリンダに環状パッキンが密着して止水し、いずれか一方の環状パッキンがシリンダから離脱して通水するものであり、離脱した環状パッキンは常時水の流れにさらされているため、塗布した潤滑剤が失われやすく、シリンダに挿入される際、径年変化でハンドル操作が重くなり、ひどいときにはハンドル操作が不能になるという欠陥があった。さらに、水の流れで運ばれてくる工事の際の砂や配管の赤錆等も付着しやすく、水漏れの原因にもなっていた。
【０００３】
【発明が解決しようとする課題】
そのため本発明は、環状パッキンが通水状態で水の流れにさらされることのないようにした水抜栓を提供することを目的としている。
【０００４】
【課題を解決するための手段】
本発明の水抜栓は、流入口の上下いずれかのシリンダから離脱した通止水用の環状パッキンがさらに移動してもう一つのシリンダに密着して通水状態となるようにしたものである。
【０００５】
【作用】
通水状態で通止水用の環状パッキンはシリンダに密着しており、水の流れにさらされていないので、塗布した潤滑剤は失われにくく、また異物がパッキンに付着する危険性も少ない。
【０００６】
【実施例】
実施例について図面を参照して説明する。図１には本発明の水抜栓を地中に埋設しないで使用される水抜き用の３方弁に適用した例を示しているが、１は弁箱であり、側方に流入口２を、その下方に流出口３を、下端に排水口４をもうけ、内部には流入口２の上方に止水シリンダ５を、流入口２と流出口３間に通止水シリンダ６を、流出口３と排水口４間に排水シリンダ７をもうけている。さらに、シリンダ５、６間に流入口２に隣接して膨出空間部８をもうけているが、軸方向長さの短い分、直径方向、特に紙面と直角方向に十分な広がりを有しており、適宜な流路面積を確保できるようにしている。
【０００７】
９はピストンであり、外周に上から順に環状止水パッキン１０、環状通止水パッキン１１、環状排水パッキン１２を装着しており、パッキン１１、１２間に細径部１３をもうけている。ピストン９の上端はスピンドル１４の下端部に回転自在に連結され、スピンドル１４は弁箱１の上端部に接続固定された操作部本体１５の作動用雌ねじ部１６に螺合されている。１７はスピンドル１４の上端に固定されたハンドルであり、１８はピストン９の下降時のストッパーとなる突起である。
【０００８】
図は通水状態を示しており、流入口２からの水は膨出空間部８に入った後で、通止水シリンダ６とピストン９の細径部１３の間隙を通り、流出口３を通って、図示しないが立上管から蛇口へと流れている。この状態では環状止水パッキン１０と環状通止水パッキン１１が止水シリンダ５に密着し、環状排水パッキン１２が排水シリンダ７に密着しているため、他所への流出はない。
【０００９】
この状態からハンドル１７を回転させると、操作部本体１５の作動用雌ねじ部１６に螺合されたスピンドル１４も回転しながら下降するが、同時にピストン９も回転することなく下降し、まず環状通止水パッキン１１が止水シリンダ５から離脱する。さらに下降して環状通止水パッキン１１が通止水シリンダ６に密着して、環状止水パッキン１０とにより流入口２からの水を遮断し、その後で環状排水パッキン１２が排水シリンダ７から下方に離脱して立上管内の水を排水口４から排出し始める。そのため、流出口３と排水口４に同時に水が流れる、いわゆる同時漏水は生じない。最終的にはピストン９の下端部が突起１８に当接して停止し、排水状態となる。
【００１０】
次に再び水を出すときは、ハンドル１７を先程とは反対に回してやればよく、今度は環状排水パッキン１２が排水シリンダ７に密着した後で環状通止水パッキン１１が通止水シリンダ６から離脱し、さらに上昇して止水シリンダ５に密着して図１の状態に復帰する。本発明においては、過大なストロークを避けるため、膨出空間部８の軸方向長さをできるだけ短くしているが、前述したように直径方向、特に紙面と直角方向に十分な広がりを有しているため、吐水量に悪影響は及ぼさない。
【００１１】
図２に、本発明を地中に埋設して使用する不凍給水栓に適用した例を示すが、図１のものとの相違点は以下の通りである。すなわち、弁箱１は下方に流入口２を、上方に流出口３を、さらにその上方に排水口４をもうけ、内部には、流入口２の上方に通止水シリンダ６を、下方に止水シリンダ５を、排水口４の上下に２個の排水シリンダ７’、  ７をもうけている。ピストン９の外周には上から順に、環状排水パッキン１２’、１２、環状通止水パッキン１１、環状止水パッキン１０を装着し、内部に連通孔１９を穿っている。弁箱１はパイプ２０により地上に延長されて操作部本体（図面省略）に接続され、ピストン９はピストン継手２１を介してロッド２２により地上に延長されてスピンドル（図面省略）に連結される。図示しないが、排水口４には地中の汚水が弁箱１内に入り込まないように逆止弁を取り付ける。
【００１２】
図は通水状態を示しているが、排水パッキン１２、１２’は排水シリンダ７に密着しており、通止水パッキン１１および止水パッキン１０は止水シリンダ５に密着しているため、１本の環状パッキンで止水するよりも漏水の危険性がそれだけ少なくなるという利点がある。図の状態からピストン９を上昇させていくと、環状通止水パッキン１１が止水シリンダ５から離脱し、さらに通止水シリンダ６に密着して止水環状パッキン１０とにより流入口２からの水を止めた後で環状排水パッキン１２が排水シリンダ７から離脱し、立上管内の水は排水口４から地中に排出される。つまり、排水状態になる。
【００１３】
このとき、環状排水パッキン１２’は排水シリンダ７’に密着しているため、パイプ２０内に水が上昇することはないが、万一上昇した場合にあっても図の通水状態にすれば排水口４から排出されることになる。排水状態から通水状態にするときは、ピストン９の下端に溜まった水は連通孔１９を通って排水口４から排出され、ピストン９の下降に悪影響を及ぼさない。
【００１４】
図３に本発明のもう一つの実施例を排水状態で示すが、環状通止水パッキン１１が通止水シリンダ６に密着し、環状止水パッキン１０が止水シリンダ５に密着して流入口２からの水を遮断しており、環状排水パッキン１２が排水シリンダ７から離脱しているため、流出口３からの水は連通孔１９を通って、弁箱１の下端にもうけた排水口４から地中に排出される。このとき、環状排水パッキン１２’が排水シリンダ７’に密着しているため、パイプ２０内に水が侵入することはない。通水状態にするときはピストン９を上昇させればよく、排水シリンダ７に通止水パッキン１１および排水パッキン１２が密着し、排水パッキン１２’は排水シリンダ７’から離脱している。
【００１５】
【発明の効果】
上述したように本発明の水抜栓にあっては、通止水パッキンは通水状態でもシリンダに密着しているので、塗布した潤滑剤が水の流れで失われる、あるいは砂や配管の赤錆が付着するという恐れが少ないため、ハンドルが径年変化で重たくなったり、漏水の生じる危険性がそれだけ減少し、通水状態においては、通止水パッキンと止水パッキンあるいは排水パッキンのいずれかの２本のパッキンで止水しているため、通水状態で使用されることが大部分の水抜栓にあっては、パッキンの損傷による漏水の危険性を減少させるということは、きわめて大きな効果を有するといえる。
【図面の簡単な説明】
【図１】本発明の１実施例を示す、通水状態における縦断面図である。
【図２】本発明の他の実施例を示す、同じく通水状態における縦断面図である。
【図３】本発明のもう一つの実施例を示す、排水状態における縦断面図である。
【符号の説明】
１                        弁箱
２            流入口
３                        流出口
４                    排水口
５                        止水シリンダ
６                通止水シリンダ
７、７’            排水シリンダ
８            膨出空間部
９                      ピストン
１０                    環状止水パッキン
１１                    環状通止水パッキン
１２、１２’    環状排水パッキン
【図１】
0003620116.tif 000002
【図２】
0003620116.tif 000003
【図３】
0003620116.tif 000004